(57)【特許請求の範囲】
【請求項１】
屋根材（２）が予め葺かれている既設の屋根面（３）上に同一高さの複数の支持金具（４）が屋根流れ方向に同じピッチで配列され、この各支持金具（４）に太陽電池パネル（５）の屋根流れ方向の縁部（１１）を直接取り付けて太陽電池パネル（５）を縦横に配列するようにした太陽電池パネル（５）を有する屋根構造であって、
前記各支持金具（４）が屋根材（２）に支持され、各支持金具（４）間の屋根流れ方向における配列ピッチ（Ｐ）は前記屋根材（２）の働き寸法（Ｄ）の整数倍に設定されており、屋根流れ方向と直交する方向に配列された前記各支持金具（４）が、同方向に延びる横桟（６０）に前記同方向移動可能に連結されていることを特徴とする太陽電池パネル（５）を有する屋根構造。
【請求項２】
前記各支持金具（４）は、屋根材（２）の軒側先端面（１３）に対して表裏から挟み込んだ状態で取り付けることができるベース部（１５）と、このベース部（１５）の上面から立設された支持部（１６）と、この支持部（１６）の上側に設けられ且つ前記太陽電池パネル（５）の縁部（１１）に設けられた取付溝（１２）に掛止する掛止部（３０）を有する固定部（１７）と、前記取付溝（１２）に掛止部（３０）を掛止した固定部（１７）を支持部（１６）側に押さながら前記固定部（１７）と支持部（１６）とを連結する連結具（２８）とを有していることを特徴とする太陽電池パネル（５）を有する請求項１に記載の屋根構造。
【請求項３】
前記各支持金具（４）は、前記支持部（１６）に設けられて前記連結具（２８）が連結され且つ前記支持部（１６）に太陽電池パネル（５）が屋根流れ方向に滑らないように前記太陽電池パネル（５）の縁部（１１）と当接可能なストッパー部（７０）とを有していることを特徴とする請求項２に記載の太陽電池パネル（５）を有する屋根構造。
【請求項４】
前記横桟（６０）は、連結部（２８）が挿入され且つ屋根流れ方向に直交する方向に延びる長孔（６２）を有していることを特徴とする請求項２又は３に記載の太陽電池パネル（５）を有する屋根構造。
【発明の詳細な説明】
【０００１】
【発明の属する技術分野】
本発明は、太陽電池パネルを有する屋根構造に関するものである。
【０００２】
【従来の技術】
従来、屋根材が予め葺かれている既設の屋根面上に、太陽電池パネルを設置するようにした太陽電池パネルを有する屋根構造としては、屋根面上に縦及び横レールからなる格子状の架台に太陽電池パネルを屋根面と平行に架設したものがある。
この種の太陽電池パネルを有する屋根構造は、例えば、屋根面上に固定した支持金具を介して、縦支持レールを屋根幅方向に一定に配列し、太陽電池パネルの縦幅に合わせるように横支持レールを屋根流れ方向に一定間隔おきに配列し、この各横支持レール間に太陽電池モジュールを屋根面と平行に架設するようにしている（例えば、特開平８−７０１３２号公報参照）。
【０００３】
【発明が解決しようとする課題】
しかしながら、従来の太陽電池パネルを有する屋根構造では、縦及び横の支持レールを格子状に組み立てる必要があるため、部品点数が多く、材料コスト及び施工コストが高くなるという欠点があった。
そこで、かかる欠点を解決する手段として、縦及び横レールを省略して太陽電池パネルを支持金具に直接固定することが考えられ、その場合、この太陽電池パネルの縦幅寸法に合わせて、複数の支持金具を屋根の流れ方向に一定の間隔おきに配列して、この各支持金具間に太陽電池パネルを架設すればよい。
【０００４】
しかしながら、この種の太陽電池パネルの縦幅寸法は、通常、屋根材の流れ方向の長さとはまったく無関係に設定されているので、この太陽電池パネルを屋根面と平行に配置しようとすると、各太陽電池パネル端部と屋根材との間の高さが種々に異なることから、それに対応して種々の支持金具を用意しておく必要がある。
従って、上記のように単に縦及び横レールを省略して支持金具に直結する手段では、却って材料コスト及び施工コストが高くなる恐れがある。
【０００５】
そこで、本発明は、上記問題点に鑑み、同一高さの支持金具によって太陽電池パネルを支持レールなしで屋根面に平行に配列できるようにして、材料コスト及び施工コストの低減が可能な太陽電池パネルを有する屋根構造を提供するようにしたものである。
【０００６】
【課題を解決するための手段】
本発明では、上記の目的を達成するために、次の解決手段を採用した。すなわち、屋根材が予め葺かれている既設の屋根面上に同一高さの複数の支持金具が屋根流れ方向に同じピッチで配列され、この各支持金具に太陽電池パネルの屋根流れ方向の縁部を直接取り付けて太陽電池パネルを縦横に配列するようにした太陽電池パネルを有する屋根構造であって、前記各支持金具が屋根材に支持され、各支持金具間の屋根流れ方向における配列ピッチは前記屋根材の働き寸法の整数倍に設定されており、屋根流れ方向と直交する方向に配列された前記各支持金具が、同方向に延びる横桟に前記同方向移動可能に連結されていることを特徴とする。
【０００７】
上記発明によれば、同一高さの複数の支持金具を屋根材が予め葺かれている既設の屋根面上に配列すると、各支持金具の太陽電池パネルの取付高さは屋根面とほぼ平行となる。したがって、この屋根流れ方向で隣り合う両支持金具間に太陽電池パネルの縁部を架設することによって屋根面上に当該太陽電池パネルを縦横に配列するようにすれば、太陽電池パネルは、屋根面とほぼ平行に配列される。
したがって、これによれば、従来の太陽電池を有する屋根構造のように、縦及び横レールを省略して支持金具に太陽電池パネルを直結しても太陽電池パネルを屋根面と平行に屋根面に配置するために高さの異なる支持金具を用意する必要がないので、部品点数が減り材料コストを安価にすることができる。
【０００８】
さらに、太陽電池パネルの縁部をこの横桟に沿って配置することができる。即ち、太陽電池パネルの屋根流れ方向に直交する方向（水平方向）に直線状に配置させやすく太陽電池パネルの位置決めが容易になる。したがって、施工コストを低減することができる。
また、各支持金具は、屋根材の軒側先端面に対して表裏から挟み込んだ状態で取り付けることができるベース部と、このベース部の上面から立設された支持部と、この支持部の上側に設けられ且つ前記太陽電池パネルの縁部に設けられた取付溝に掛止する掛止部を有する固定部と、前記取付溝に掛止部を掛止した固定部を支持部側に押さながら前記固定部と支持部とを連結する連結具とを有していることが好ましい。
【０００９】
前記各支持金具は、前記支持部に設けられて前記連結具が連結され且つ前記支持部に太陽電池パネルが屋根流れ方向に滑らないように前記太陽電池パネルの縁部と当接可能なストッパー部とを有していることが好ましい。
前記横桟は、連結部が挿入され且つ屋根流れ方向に直交する方向に延びる長孔を有していることが好ましい。
以上によれば、各支持金具間の屋根流れ方向における配列ピッチが前記屋根材の屋根働き寸法の整数倍に設定されるようになり、各支持金具の位置決めが容易にできるので、施工コストを低減することができる。また、支持金具に据え置かれた太陽電池パネルの軒側縁部がストッパー部に当接されるので、この太陽電池パネルは屋根流れ方向にずれないようになっている。即ち、屋根面上に配置された支持金具間に太陽電池パネルを据え置くだけで、太陽電池パネルの配置状態は保持される。
【００１０】
これにより、各太陽電池パネルを各支持金具に固定する前にでも、太陽電池パネルを各支持金具を介して屋根面に配置することができるので、屋根面に縦横に配置された互いの太陽電池パネルの位置合わせが容易にすることができる。
したがって、太陽電池パネルの施工が容易にできるので、施工コストを低減することができる。
【００１１】
【発明の実施の形態】
以下、本発明の実施の形態を図１〜１３に基づいて説明する。
図１は本発明に係る太陽電池パネルを有する屋根構造の一実施形態を示している。図１、２に示すように、本実施の形態の太陽電池を有する屋根構造１は、複数の屋根材２が予め葺かれている既設の屋根面３上に、同一高さの複数の支持金具４が設けられており、この各支持金具４の間に太陽電池パネル５が取り付けられた構成になっている。
【００１２】
本実施の形態の屋根面３は、いわゆる寄せ棟屋根を構成する台形面よりなり、この台形面の中央部に複数の太陽電池パネル５（図例では７枚）が二段の千鳥状となるように配置されている。そして、本実施形態の太陽電池パネル５は、図１に示すように、屋根面３の隅棟勾配とほぼ一致した状態で千鳥状に配列することができるように、その縦横の寸法が設定されている。
すなわち、太陽電池パネル５の屋根流れ方向寸法（図１のピッチＰ）を太陽電池パネル５の半幅寸法で除た勾配が、屋根面３の隅棟勾配とほぼ一致するようになっており、これによって、太陽電池パネル５を設置した後の屋根の意匠性を向上させている。
【００１３】
屋根面３を構成する複数の屋根材２は、平板状の屋根瓦で形成されており、通常の屋根瓦と同じように、屋根の軒部６から屋根の棟部７にかけて順に葺き上げられていて、野地板８の上面に敷設したアスファルトルーフィング等によりなる図示していない防水シート上に釘止め又はねじ止めによって直接固定されいる。
屋根材２の軒側先端面１３同士の間隔Ｄは、通常の屋根と同じように、一定の間隔Ｄとなっている。なお、本実施の形態では、この間隔Ｄのことを屋根材２の働き寸法Ｄとする。
【００１４】
屋根面３上に配置される複数の太陽電池パネル５は、例えば、図１に示すように、上側（棟側）と下側（軒側）とに分かれて縦横に配置され、各太陽電池パネル５は各支持金具４を介して屋根面３上に固定されている。
図１、６〜１１に示すように、太陽電池パネル５は、全体的に長方形板状であり、ソーラーセルをガラスで封入してなる太陽電池９と、この太陽電池９の縁部を取り囲む枠体１０と、この太陽電池９と枠体１０との下側に接合されてその下地となるベース部材１４とを備えている。この太陽電池パネル５の上下縁部１１（太陽電池パネル５の軒側及び棟側の縁部）に対応する枠体１０の上面には、凹状の取付溝１２が設けられている。
【００１５】
屋根面３上に配置される支持金具４は、屋根面３上に縦横に配置された各太陽電池パネル５を支持するように、各太陽電池パネル５の上下縁部１１に対応する屋根面３に配置されている。
図１に示すように、各太陽電池パネル５の軒側縁部１１ａを支持する軒側支持金具４ａは、屋根の縦目地（屋根流れ方向の目地）を中心として、屋根流れ方向と直交する方向に均等に振り分けられて配置されていると共に、各太陽電池パネル５の軒側縁部１１ａに沿って配置されている。
【００１６】
図３、４に示すように、この軒側支持金具４ａはステンレス等の金属系の板材で構成され、横断面がコの字状のベース部１５と、このベース部１５から立設した支持部１６と、この支持部１６上に取り付けられた図示していない固定部１７ａとを備えている。
ベース部１５は、屋根材２の表面に沿う上板１８と、屋根材２の裏面に沿う下板１９と、上板１８と下板１９を連結する連結板２０（位置決め部）とを有している。この上板と１８下板１９は、それぞれ同じ大きさで長方形板状に形成されていて、この上板１８の端部と下板１９の端部とは連結板２０により連結されて、ベース部１５は横断面がコの字状になっている。また、上板１８及び下板１９には支持金具４全体を釘等で屋根材２に固定するための一対の取付孔２５が設けられている。
【００１７】
支持部１６は、太陽電池パネル５が置かれる搭載部２１と、この搭載部２１の長手方向の両端部に設けられた長方形板状の一対の脚部２２とを有している。
この搭載部２１は、長方形板状に形成されていて、搭載部２１の上面の中央部には搭載部２１の長手方向に並列して一対のナット２３が設けられている。
脚部２２の下端部には、長方形板状に形成された取付部２４が設けられており、この取付部２４には支持金具４全体を釘等で屋根材２に固定するための取付孔２５が設けられている。もう一方の脚部２２の下端部には、長方形板状の連結部２６が設けられている。
【００１８】
そして、このように構成された支持部１６の縦幅は、ベース部の長手方向の長さと略同じであり、支持部１６の横幅は、ベース部の短手方向の長さと略同じであって、この支持部１６は、連結部２６及び取付部２４を介して、ベース部１５の上板１８に溶接などにより取り付けられて、支持部１６は、ベース部１５と一体化されている。
このとき、取付部２４のそれぞれの取付孔２５は、ベース部１５の上面１８と下面１９とに設けられている取付孔２５に対応する位置に配置されている。
【００１９】
図６、７に示すように、固定部１７ａは、太陽電池パネル５の取付溝１２に掛けられる掛止部３０と、ボルト等の連結具２８などが挿通される締付部３１と、この掛止部３０と対向する脚部３２とを備えている。
この締付部３１は長方形板状に形成されて、締付部３１の長手方向の中央部には、搭載部２１のナット２３に対応する位置に一対の挿通孔３３が設けられている。締付部３１の長手方向の端部には、長方形板状の掛止部３０が設けられていて、締付部３１の長手方向のもう一方の端部には、長方形板状の傾斜した脚部３２が設けられている。そして、連結具２８を一対の挿通孔３３に挿通して、この連結具２８を搭載部２１のナット２３に締め付けることにより、固定部１７ａは、支持部１６と一体されている。
【００２０】
図６、７に示すように、この軒側支持金具４ａは、軒側支持金具４ａのベース部１５の上板１８と下板１９とが、それぞれ屋根材２の表面２ａと裏面２ｂとに沿って配置され、軒側支持金具４ａの連結板２０の内面が屋根材２の軒側先端面１３に当接されながら、軒側支持金具４ａは、釘などの連結具２７により屋根材２及び野地板８に固定されている。
図６、７に示すように、各太陽電池パネル５の軒側縁部１１ａの枠体１０の下面が軒側支持金具４ａの搭載部２１の上面に配置され、この枠体１０側面は軒側支持金具４ａのナット２３側面に当接され、この太陽電池パネル５の取付溝１２と軒側支持金具４ａの掛止部３０とが嵌合されている。このとき、軒側支持金具４ａのナット２３がストッパー部の役割をしているので、下太陽電池パネル５は屋根流れ方向にずれないようになっている。
【００２１】
そして、軒側支持金具４ａの連結具２８の締め付けにより、各太陽電池パネル５の軒側縁部１１ａは、軒側支持金具４ａに固定されている。
図１に示すように、各太陽電池パネル５の棟側縁部１１ｂを支持する棟側支持金具４ｂは、屋根の縦目地（屋根流れ方向の目地）を中心として、屋根流れ方向と直交する方向に均等に振り分けられて配置されていると共に、各太陽電池パネル５の棟側縁部１１ｂに沿って配置されている。
図３、４に示すように、この棟側支持金具４ｂは、ステンレス等の金属系の板材で構成され、横断面がコの字状のベース部１５と、このベース部１５から立設した支持部１６と、この支持部１６上に取り付けられいる図示していない固定部１７ｂとを備えている。この棟側支持金具４ｂのベース部１５及び支持部１６は、上記記載の軒側支持金具４ａと同様の形状である。
【００２２】
図８、９に示すように、棟側支持金具４ｂの固定部１７ｂは、太陽電池パネル５の縁部１１ｂの取付溝１２に掛けられる掛止部４０と、連結具２８が挿通される締付部４１と、この掛止部４０と対向する脚部４２とを備えている。
この締付部４１は長方形板状に形成されて、締付部４１の長手方向の中央部には、搭載部２１のナット２３に対応する位置に一対の挿通孔４３が設けられている。締付部４１の長手方向の端部には、長方形板状の掛止部４０が設けられていて、締付部４１の長手方向のもう一方の端部には、長方形板状の傾斜した脚部４２が設けられている。そして、連結具２８を挿通孔４３に挿通して、この連結具２８を搭載部２１のナット２３に締め付けることにより、固定部１７ｂは、支持部１６と一体されている。
【００２３】
図８、９に示すように、この棟側支持金具４ｂは、軒側支持金具４ｂのベース部１５の上板１８と下板１９とが、それぞれ屋根材２の表面２ａと裏面２ｂとに沿って配置され、棟側支持金具４ｂの連結板２０の内面が屋根材２の軒側先端面１３に当接されながら、軒側支持金具４ｂは、釘などの連結具２７により屋根材２及び野地板８に固定されている。
図８、９に示すように、各太陽電池パネル５の棟側縁部４ｂの枠体１０の下面が棟側支持金具４ｂの搭載部２１の上面に配置され、枠体１０側面は棟側支持金具４ｂのナット２３側面に当接され、太陽電池パネル５の取付溝１２と軒側支持金具４ｂの掛止部４０とが嵌合されている。
【００２４】
そして、軒側支持金具４ｂの連結具２８の締め付けにより、各太陽電池パネル５の軒側縁部１１ｂは、軒側支持金具４ｂに固定されている。
図１に示すように各太陽電池パネル５の上下縁部１１ｃを支持しつつ、上下太陽電池パネル５を連結する連結支持金具４ｃは、屋根流れ方向と直交する方向に均等に振り分けられて配置されていると共に、各太陽電池パネル５の上下縁部１１ｃに沿って配置されている。
図３、４に示すように、この連結支持金具４ｃはステンレス等の金属系の板材で構成され、横断面がコの字状のベース部１５と、このベース部１５から立設した支持部１６と、この支持部１６上に取り付けられている図示していない固定部１７ｃとを備えている。この連結支持金具４ｃのベース部１５及び支持部１６は、上記記載の軒側支持金具４ａと同様の形状である。
【００２５】
図１０、１１に示すように連結支持金具４ｃの固定部１７ｃは、太陽電池パネル５の縁部１１ｃの取付溝１２に掛けられる一対の掛止部５０と、連結具２８が挿通される締付部５１と、を有している。
この締付部５１は長方形板状に形成されて、締付部５１の長手方向の中央部には、搭載部２１のナット２３に対応する位置に、一対の挿通孔５３が設けられている。締付部５１の長手方向の一対の端部には、長方形板状の掛止部５０が設けられている。そして、ボルトなどの連結具２８を一対の挿通孔５３に挿通して、この連結具２８を搭載部２１のナット２３に締め付けることにより、固定部１７ｃは、支持部１６と一体されている。
【００２６】
図１０，１１に示すように、連結支持金具４ｃのベース部１５の上板１８と下板１９とが、それぞれ屋根材２の表面２ａと裏面２ｂとに沿って配置され、連結支持金具４ｃの連結板２０の内面が屋根材２の軒側先端面１３に当接されながら、連結支持金具４ｃは、釘などの連結具２７により屋根材２及び野地板８に固定されている。
この連結支持金具４ｃにより連結された、各太陽電池パネル５の縁部１１ｃには、上下太陽電池パネル５の枠体１０の下面が連結支持金具４ｃの搭載部２１の上面に配置され、上下太陽電池パネル５の枠体１０側面は連結支持金具４ｃのナット２３側面に当接され、上下太陽電池パネル５の取付溝１２と連結支持金具４ｃの掛止部５０とが嵌合されている。このとき、連結支持金具４ｃのナット２３がストッパー部の役割をしているので、上太陽電池パネル５は屋根流れ方向にずれないようになっている。
【００２７】
そして、連結支持金具４ｃの連結具２８の締め付けにより、連結される太陽電池パネル５の縁部１１ｃは、連結支持金具４ｃに固定されている。
従って、各太陽電池パネル５の上下縁部１１が各支持金具４に固定されていることにより各太陽電池パネル５は屋根面３に配置される。また、この各支持金具４は、連結板２０の内側を屋根材２の軒側先端面１３に当接して取り付けられているので、各支持金具４の取付芯と屋根材２の軒側面１３との屋根流れ方向の間隔は一定となっていて、各支持金具４間の屋根流れ方向における配列ピッチＰは屋根材２の屋根の働き寸法Ｄの整数倍になっている。
【００２８】
即ち、各太陽電池パネル５の縁部１１を支持している各支持金具４のベース部１５及び支持部１６が同じであり、且つ、各支持金具４間の屋根流れ方向における配列ピッチＰは前記屋根材２の屋根働き寸法Ｄの整数倍になっているので、各太陽電池パネル５の上下縁部１１と屋根材２上面端部との高さが同じになり、太陽電池パネル５は屋根面３とほぼ平行に配置されている。
したがって、上記構成から分かるように、本発明の実施の形態では、各支持金具４に直接太陽電池パネル５を固定しており、従来の屋根構造のように、太陽電池パネル５を平行に屋根面３に配置するために高さの異なる支持金具４を用意する必要がない。
【００２９】
次に、上記屋根構造の施工方法を説明する。
まず、各支持金具４を太陽電池パネル５の縁部１１を支持するように屋根面３の屋根材２に次のように取り付けながら配置する。
図５に示すように、各支持金具４のベース部１５の上板１８と下板１９が、屋根材２の表面２ａと裏面２ｂとを挟み込むように、各支持金具４を各屋根材２の軒側面側から挿入し、屋根材２の軒側先端面１３と連結板２０の内面とを突き合わせる。そして、取付部２４の取付孔２５に釘などの連結具２７を挿通させて、各挿孔２５を介して連結具２７を屋根材２及び野地板８に打ち付けて各支持金具４を固定する。各支持金具４の固定部１７と支持部１６とを連結している連結具２８を緩めて、各支持金具４の搭載部２１と固定部１７との間に太陽電池パネル５の縁部１１挿入できるようにする。
【００３０】
図６〜１１に示すように、次に各太陽電池パネル５の縁部１１の枠体１０側面を各支持金具４の搭載部２１と固定部１７との間に挿入しながら、各太陽電池パネル５を屋根流れ方向の各支持金具４間に跨がせて、各支持金具４の搭載部２１に据え置く。次に示すように各太陽電池パネル５の縁部１１を各支持金具４の固定部により固定する。
図６、７に示すように軒側支持金具４ａにあっては、固定部１７ａの係部３０の先端を太陽電池パネル５の取付溝１２に嵌合するように挿入して、締付部３１の挿通孔３３に再び連結具２８を挿入し、この連結具２８を支持部１６のナット２３に締め付ける。
【００３１】
図８、９に示すように棟側支持金具１１ｂにあっては、固定部１７ｂの係部４０の先端を太陽電池パネル５の取付溝１２に嵌合するように挿入して、締付部４１の挿通孔４３に再び連結具２８を挿入し、この締結具２８を支持部１６のナット２３に締め付ける。
図１０、１１に示すように連結支持金具１１ｃにあっては、固定部１７ｃの係部５０の先端が上下段の太陽電池パネル５の取付溝１２に挿入して、締付部５１の挿通孔５３に連結具２８を挿入し、この連結具２８を支持部１６のナット２３に締め付ける。
【００３２】
したがって、これにより、各支持金具間４の屋根流れ方向における配列ピッチＰが前記屋根材２の働き寸法Ｄの整数倍に設定することができ、さらに、太陽電池パネル５を屋根面とほぼ平行に設置することが可能となった。
なお、上記記載では、屋根面３上に配置される複数の支持金具４は、屋根の縦目地（屋根流れ方向の目地）を中心として、屋根流れ方向と直交する方向に均等に振り分けられて配置されていたが、屋根面３上に縦横に配置された各太陽電池パネル５を支持するように、各太陽電池パネル５の上下縁部１１に対応する屋根面３に配置していればよく、屋根の縦目地（屋根流れ方向の目地）を中心として、屋根流れ方向と直交する方向に均等に振り分けて配置しなくてもよい。
【００３３】
本発明の第二の実施の形態を図１２〜１７に基づいて説明する。
図１４に示すように、屋根面３上に太陽電池パネル５が縦横に配置され、複数の支持金具４が屋根面３上に配置され、この各支持金具４を屋根流れ方向と直交する方向に連結した横桟６０が配置されている。
図１２、１３に示すように、この横桟６０は、長方形板状に形成されており、この横桟６０の短手方向の中心部は凸状に上方向に突起しており、この中心部は突起部６１とされている。この突起部６１の長手方向の長さは、横桟６０の長手方向の長さに設定されていて、突起部６１の上面には、長手方向に長孔６２が設けられている。また、横桟６０の長手方向の端部には、下方向に長方形板状の平板６３が設けられている。
【００３４】
図１５に示すように、各太陽電池パネル５の軒側縁部１１ａの枠体１０の下面が横桟６０を介して軒側支持金具４ａの搭載部２１の上面に配置され、枠体１０側面は横桟６０の突起部６１の側面に当接され、太陽電池パネル５の取付溝１２と軒側支持金具４ａの掛止部３０とが嵌合されている。そして、軒側支持金具４ａの連結具２８の締め付けにより、各太陽電池パネル５の軒側縁部１１ａは、軒側支持金具４ａに固定されている。
図１６に示すように、各太陽電池パネル５の棟側縁部１１ｂの枠体１０の下面が横桟６０を介して棟側支持金具４ｂの搭載部２１の上面に配置され、枠体１０側面は横桟６０の突起部６１の側面に当接され、太陽電池パネル５の取付溝２１と軒側支持金具４ｂの掛止部４０とが嵌合されている。そして、軒側支持金具４ｂの連結具２８の締め付けにより、各太陽電池パネル５の軒側縁部１１ｂは、軒側支持金具４ｂに固定されている。
【００３５】
図１７に示すように、この連結支持金具４ｃにより連結された、各太陽電池パネル５の縁部１１ｃには、上下太陽電池パネル５の枠体１０の下面が横桟６０を介して連結支持金具４ｃの搭載部２１の上面に配置され、上下太陽電池パネル５の枠体１０側面は横桟６０の突起部６１の側面に当接され、上下太陽電池パネル５の取付溝１２と連結支持金具４ｃの掛止部５０とが嵌合されている。そして、連結支持金具４ｃの連結具２８の締め付けにより、連結される太陽電池パネル５の縁部１１ｃは、連結支持金具４ｃに固定されている。
【００３６】
したがって、太陽電池パネル５の縁部１１をこの横桟６０に沿って配置さることができる。即ち、太陽電池パネル５の屋根流れ方向に直交する方向（水平方向）に直線状に配置させやすく太陽電池パネル５の位置決めが容易にすることができる。
なお、その他の構成は同じである。
本発明は、上記実施の形態に限定されるものではない。
すなわち、支持金具４を釘などの締結具２７により直接屋根材２に取り付けていたが、支持金具４の下板１９の外側面と下段の屋根材２の間に防水材などを介在させて、各支持金具４を屋根材２に取り付けてもよい。
【００３７】
また、この防水材を直接支持金具４の下板１９に設けてもよい。
また、太陽電池パネル５を支持できるように複数の支持金具４を配置しておけば、屋根面３に配置される太陽電池パネル５は、屋根流れ方向に複数個配置してもよいし、屋根流れ方向と直交する方向に複数個配置してもよい。
【００３８】
【発明の効果】
本発明によれば、同一高さに形成されてた支持金具によって太陽電池パネルを支持レールなしで屋根面に平行に配列できるようにして、材料コスト及び施工コストの低減が可能な太陽電池パネルを有する屋根構造を提供することが可能となる。
【図面の簡単な説明】
【図１】  本発明の一実施の形態の太陽電池パネルを有する略屋根構造図である。
【図２】  同屋根面の断面図である。
【図３】  同支持金具の一部の正面図である。
【図４】  同支持金具の一部の側面図である。
【図５】  同支持金具の取り付け形態図である。
【図６】  同太陽電池パネルの軒側縁部の取付状態を示す断面図である。
【図７】  同太陽電池パネルの軒側縁部の取付状態を示す略斜視図である。
【図８】  同太陽電池パネルの棟側縁部の取付状態を示す断面図である。
【図９】  同太陽電池パネルの棟側縁部の取付状態を示す略斜視図である。
【図１０】  同上下太陽電池パネルの連結状態を示す断面図である。
【図１１】  同上下太陽電池パネルの連結状態を示す略斜視図である。
【図１２】  本発明の他の実施の形態の横バーの側面図である。
【図１３】  同横バーの正面図である。
【図１４】  同太陽電池パネルを有する略屋根構造図である。
【図１５】  同太陽電池パネルの軒側縁部の取付状態を示す断面図である。
【図１６】  同太陽電池パネルの棟側縁部の取付状態を示す断面図である。
【図１７】  同上下太陽電池パネルの連結状態を示す断面図である。
【符号の説明】
１    太陽電池パネルを有する屋根構造。
２    屋根材
３    屋根面
４    支持金具
５    太陽電池パネル
１１  縁部
１３  軒側先端面
２０  位置決め部
６０  横バー
７０  スットパー部
Ｐ    配列ピッチ
Ｄ    屋根働き寸法
【図１】
0003934453.tif 000002
【図２】
0003934453.tif 000003
【図３】
0003934453.tif 000004
【図４】
0003934453.tif 000005
【図５】
0003934453.tif 000006
【図６】
0003934453.tif 000007
【図７】
0003934453.tif 000008
【図８】
0003934453.tif 000009
【図９】
0003934453.tif 000010
【図１０】
0003934453.tif 000011
【図１１】
0003934453.tif 000012
【図１２】
0003934453.tif 000013
【図１３】
0003934453.tif 000014
【図１４】
0003934453.tif 000015
【図１５】
0003934453.tif 000016
【図１６】
0003934453.tif 000017
【図１７】
0003934453.tif 000018